(57)【特許請求の範囲】
【請求項１】
容器蓋本体と冠帽部とを具備し、該容器蓋本体は破断可能ラインによって切取領域が規定されている底壁、該底壁の該切取領域の破断開始端部から上方に延びる連結柱、及び該連結柱を介して該切取領域に連結されたプルリングを含み、該切取領域は円形沈降部、環状周縁部及び該沈降部と該周縁部との間に介在せしめられている円錐台筒状部から構成されており、該冠帽部は天面壁、及び該天面壁の周縁から垂下する筒状スカート壁を含み、該容器蓋本体の該底壁、該連結柱及び該プルリングを覆う閉位置と該容器蓋本体の該底壁、該連結柱及び該プルリングを露呈せしめる開位置との間を旋回自在に該容器蓋本体に連結されており、該冠帽部を該開位置に旋回動せしめ、該プルリングに指を掛けて引っ張ることによって該破断可能ラインが破断され、該切取領域が該底壁から切り取られて排出開口が生成される合成樹脂製容器蓋において、
該環状周縁部の周縁領域に位置する、該切取領域の周縁部は薄い肉厚Ｄ１を有するが、該切取領域の他の部分は該薄い肉厚Ｄ１よりも厚い肉厚Ｄ２を有する、ことを特徴とする合成樹脂製容器蓋。
【請求項２】
該薄い肉厚Ｄ１は１．０乃至１．６ｍｍであり、該厚い肉厚Ｄ２は１．７乃至３．０ｍｍである、請求項１記載の合成樹脂製容器蓋。
【発明の詳細な説明】
【０００１】
【発明の属する技術分野】
本発明は、特に液体調味料の如き液体を収容した容器に適した合成樹脂製容器蓋、更に詳しくは、容器蓋本体とこの容器蓋本体に旋回自在に連結された冠帽部とを備え、容器蓋本体は破断可能ラインによって切取領域が規定されている底壁を含んでいる形態の合成樹脂製容器蓋に関する。
【０００２】
【従来の技術】
当業者には周知の如く、液体調味料の如き液体を収容した容器のための容器蓋として、容器蓋本体と冠帽部とを具備する合成樹脂製容器蓋が広く実用に供されている。容器蓋本体は破断可能ラインによって切取領域が規定されている底壁、底壁の切取領域の破断開始端部から上方に延びる連結柱、及び連結柱を介して切取領域に連結されたプルリングを含む。冠帽部は天面壁、及び天面壁の周縁から垂下する筒状スカート壁を含み、容器蓋本体の底壁、連結柱及びプルリングを覆う閉位置と容器蓋本体の底壁、連結柱及びプルリングを露呈せしめる開位置との間を旋回自在に容器蓋本体に連結されている。冠帽部を開位置に旋回動せしめ、プルリングに指を掛けて引っ張ることによって破断可能ラインが破断され、切取領域が底壁から切り取られて排出開口が生成される。
【０００３】
【発明が解決しようとする課題】
而して、上述したとおりの形態の従来の合成樹脂製容器蓋には、次のとおりの解決すべき問題がある。容器内に７０乃至９０℃程度の比較的高温の液体を充填し、しかる後に容器の口頸部に容器蓋を装着して容器の口頸部を密封した場合、閉位置に位置せしめられていた冠帽部が開位置に向けて幾分旋回動せしめられてしまうことがある。冠帽部が開位置に向けて幾分旋回動せしめられると、出荷前に冠帽部を閉位置に旋回動せしめることが必要になる。また、容器の口頸部に容器蓋を装着した後に、容器蓋に冷却水を噴射する場合には、かかる冷却水が開位置に向けて幾分旋回動せしめられた冠帽部と容器蓋本体との隙間から侵入し容器蓋本体の底壁上に堆積せしめられてしまう。
【０００４】
冠帽部が開位置に向けて幾分旋回動せしめられてしまう原因について鋭意検討した結果、次のとおりの挙動によって冠帽部が旋回動せしめられてしまうことが判明した。即ち、容器内に相当高温の液体を充填して容器蓋を装着した場合、容器の上端部に存在する空間部即ち所謂ヘッドスペース中の空気が液体から伝導される熱によって加熱され、空間部内の圧力が上昇し、これに起因して容器蓋本体の底壁に規定されている切取領域が上方にドーム状に膨出し、かくして容器蓋本体の底壁と冠帽部との間の空間部中の空間容積が低減されて圧力が増大せしめられ、増大せしめられた圧力によって冠帽部が閉位置から旋回動せしめられてしまう。また、液体の熱が容器蓋本体の底壁を介して容器蓋本体の底壁と冠帽部との間の空間部中の空気に伝導され、これによっても上記空間部中の圧力が増大せしめられることも、冠帽部を閉位置から旋回動せしめる要因となる。
【０００５】
本発明は上記事実に鑑みてなされたものであり、その主たる技術的課題は、上記形態の合成樹脂製容器蓋を改良して容器内に相当高温の液体が充填される場合でも、容器の口頸部に容器蓋を装着した後に閉位置に位置せしめられていた冠帽部が開位置に向けて幾分旋回動せしめられてしまうことを防止することである。
【０００６】
【課題を解決するための手段】
本発明者等は、閉位置に位置せしめられていた冠帽部が開位置に向けて幾分旋回動せしめられてしまう際の上述したとおりの挙動の認識に基づき、容器蓋本体の底壁に規定されている切取領域の肉厚を増大せしめて、その剛性を増大せしめると共に底壁の切取領域の断熱作用を増大せしめて切取領域を介する熱伝導量を低減せしめることによって、冠帽部が開位置に旋回動せしめられるのを効果的に防止することができることを見出した。一方、切取領域の全体に渡って肉厚を増大せしめると、プルリングを引っ張って破断可能ラインを破断せしめる際に、切取領域が全体に渡って剛性が増大されていることに起因して切取領域が破断可能ラインの破断進行に応じて漸次湾曲せしめられることが不可能になり、破断可能ラインの破断を破断開始端部から漸次進行せしめるのではなくて破断可能ラインを相当な長さに渡って同時に破断せしめることが必要になり、破断可能ラインの破断が相当困難になる傾向がある。破断可能ラインの破断が困難になるのを回避するためには、切取領域の周縁部は肉厚を増大せしめることなく、薄い肉厚にせしめておくことが重要である。
【０００７】
従って、本発明によれば、上記主たる技術的課題を達成する合成樹脂製容器蓋として、容器蓋本体と冠帽部とを具備し、該容器蓋本体は破断可能ラインによって切取領域が規定されている底壁、該底壁の該切取領域の破断開始端部から上方に延びる連結柱、及び該連結柱を介して該切取領域に連結されたプルリングを含み、該切取領域は円形沈降部、環状周縁部及び該沈降部と該周縁部との間に介在せしめられている円錐台筒状部から構成されており、該冠帽部は天面壁、及び該天面壁の周縁から垂下する筒状スカート壁を含み、該容器蓋本体の該底壁、該連結柱及び該プルリングを覆う閉位置と該容器蓋本体の該底壁、該連結柱及び該プルリングを露呈せしめる開位置との間を旋回自在に該容器蓋本体に連結されており、該冠帽部を該開位置に旋回動せしめ、該プルリングに指を掛けて引っ張ることによって該破断可能ラインが破断され、該切取領域が該底壁から切り取られて排出開口が生成される合成樹脂製容器蓋において、
該環状周縁部の周縁領域に位置する、該切取領域の周縁部は薄い肉厚Ｄ１を有するが、該切取領域の他の部分は該薄い肉厚Ｄ１よりも厚い肉厚Ｄ２を有する、ことを特徴とする合成樹脂製容器蓋が提供される。
【０００８】
好適実施形態においては、該薄い肉厚Ｄ１は１．０乃至１．６ｍｍで、該厚い肉厚Ｄ２は１．７乃至３．０ｍｍでよい。
【０００９】
【発明の実施の形態】
以下、本発明に従って構成された合成樹脂製容器蓋の好適実施形態を図示している添付図面を参照して、更に詳細に説明する。
【００１０】
図１乃至図３には、本発明に従って構成された容器蓋の好適実施形態の一例を図示している。全体を番号２で示す容器蓋は、ポリエチレン又はポリプロピレンの如き適宜の合成樹脂から一体に成形されている。かかる容器蓋２は容器蓋本体４と冠帽部６とを具備しており、冠帽部６はヒンジ手段８を介して本体４に旋回自在に連結されている。
【００１１】
容器蓋本体４は略円板形状でよい底壁１０を有する。この底壁１０の下面には外側垂下壁１２及び内側垂下壁１４が形成されている。外側垂下壁１２は略円筒形状であり、底壁１０の外周縁から下方に垂下せしめられている。内側垂下壁１４も略円筒形状であり、外側垂下壁１２と実質上同心状に底壁１０の下面から下方に垂下せしめられている。外側垂下壁１２の内周面の軸方向中央部には、半径方向内方に突出した環状係止突条１６が形成されている。内側垂下壁１４の外周面下部は断面図において弧状をなし、下方に向かって外径が漸次低減せしめられている。
【００１２】
底壁１０の上面には環状係止壁１８が形成されている。かかる係止壁１８は底壁１０の上面における外周縁部から上方に延びる略円筒形状であり、その外周面上端には半径方向外方に突出した環状係止突条２０が形成されている。底壁１０の上面には注出案内壁２２も形成されている。注出案内壁２２は底壁１０の上面から上方に延びる略円筒形状であり、その上端部は半径方向外方に湾曲せしめられている。図１及び図２において、注出案内壁２２は係止壁１８と同心状ではなく係止壁１８に対して若干左方に変位せしめられており、注出案内壁２２の右側領域は、その上半部が切り欠かれている。また、底壁１０には、スコアでよい破断可能ライン２４によって切取領域２６が規定されている。かかる破断可能ライン２４は、比較的大きな径の略円弧状部２８と、比較的小さな径の略半円弧状部３０と、略円弧状部２８の両端と略半円弧状部３０の両端とを連結する、一対の略弦状部３２とから構成されており、上記内側垂下壁１４及び注出案内壁２２よりも半径方向内側に形成されている。切取領域２６は、円形沈降部３４、環状周縁部３６、及び沈降部３４と周縁部３６との間に介在せしめられている円錐台筒状部３８から構成されている。切取領域２６には、図２乃至図３において、その周縁部の右側に上記略半円弧状部３０によって規定された破断開始端部４０が配設されている。かかる破断開始端部４０の上面からは上方に連結柱４２が延びており、切取領域２６には連結柱４２を介してプルリング４４が連結されている。プルリング４４は連結柱４２の上端から実質上水平に延びており、注出案内壁２２と実質上同心状に配置されている。プルリング４４の内周面にはそこに掛けられる指の滑りを防止するための弧状突条４６が軸方向に間隔を置いて３個形成されている。
【００１３】
図１及び図３を参照して説明を続けると、本発明に従って構成された容器蓋２においては、上記切取領域２６の周縁部、即ち環状周縁部の周縁領域に位置する周縁部、は比較的薄い肉厚Ｄ１を有するが、切取領域２６のその他の部分は薄い肉厚Ｄ１よりも厚い比較的厚い肉厚Ｄ２を有することが重要である（図３においては、点線で図示する領域が比較的薄い肉厚Ｄ１を有し、斜線で示す領域が比較的厚い肉厚Ｄ２を有する）。比較的厚い肉厚Ｄ１は１．０乃至１．６ｍｍ程度であり、比較的薄い肉厚Ｄ２は１．７乃至３．０ｍｍ程度であるのが好ましい。
【００１４】
冠帽部６は、円形天面壁５２とこの天面壁５２の周縁から垂下する（図１に図示する状態においては上方に延びる）円筒状スカート壁５４とを含む。天面壁５２の内面には、下方に垂下する（図１に図示する状態においては上方に延びる）円筒状のシール壁５６も形成されている。シール壁５６はスカート壁５４と同心状ではなく、図１及び図２においてスカート壁５４に対して若干右方に変位せしめられている（冠帽部６が図１に二点鎖線で示す閉位置に位置せしめられると、スカート壁５４が容器蓋本体４の係止壁１８と同心状に位置し、シール壁５６が容器蓋本体４の注出案内壁２２と同心状に位置する）。天面壁５２の内面には、更に、下方に垂下する（図１に図示する状態においては上方に延びる）弧状壁５８も形成されている。かかる弧状壁５８はシール壁５６の外側の所定角度部位に円弧状に延びるよう配設されている。スカート壁５４の内周面における自由端部には、環状係止溝６０が形成されている。スカート壁５４の外周面下端部には半径方向外方に突出する突出片６２が形成されている。
【００１５】
図１には、容器蓋２が適用される容器の口頸部６４も図示されている。ガラス或いはポリエチレンテレフタレートの如き適宜の合成樹脂から形成することができる容器の口頸部６４は略円筒形状であり、その外周面上端部には半径方向外方に突出する環状係止あご部６６が形成されている。
【００１６】
液体調味料の如き液体を収容した上記容器の口頸部６４に容器蓋２を装着し、容器を密封する際には、口頸部６４に容器蓋２を被嵌し、閉位置に位置せしめられている冠帽部６の天面壁５２の外面に押圧力を加えると、本体４の内側垂下壁１４は口頸部６４の内周面に密接せしめて半径方向内方に幾分撓まされ、これによって容器の口頸部６４が密封される。一方、本体４の外側垂下壁１２の内周面に形成されている係止突条１６は、口頸部６４の外周面に形成されている係止あご部６６を弾性的に乗り越え、係止あご部６６の下方に係止せしめられる。
【００１７】
切取領域２６の少なくとも中央部４８は比較的厚い肉厚Ｄ２を有し、比較的大きな剛性を有する故に、容器の上端部に存在する空間部６８内の圧力が上昇しても切取領域２６が上方にドーム状に膨出されることが効果的に回避される。そしてまた、切取領域２６の少なくとも中央部４８が比較的厚い肉厚Ｄ２を有する故に、切取領域２６が比較的大きな断熱効果を有し、容器内の相当高温の液体に起因して容器蓋本体４における底壁１０と冠帽部６との間の空間部中の空気の温度が過剰に増大してしまうことが効果的に防止される。
【００１８】
図１を参照して説明を続けると、容器内に収容されている液体を排出する際には、冠帽部６を二点鎖線で示す閉位置から実線で示す開位置に旋回せしめる。次いで、プルリング４４に指を掛けて図１において左上方に引っ張って破断可能ライン２４を破断する。破断可能ライン２４の破断は破断開始端部４０が局部的に上方に変位湾曲せしめられることによって破断開始端部４０に応力が集中し、破断開始端部４０は比較的薄い肉厚Ｄ１を有する故に、充分容易に上方に変位湾曲せしめられ、従って充分容易に破断可能ライン２４の破断を開始することができる。また、図示の実施形態においては切取領域２６の破断開始端部４０のみならず周縁部５０が比較的薄い肉厚Ｄ１を有する故に、周縁部５０が漸次上方に変位湾曲されて破断可能ライン２４の破断が漸次進行する。切取領域２６の破断開始端部４０のみならず周縁部５０が比較的薄い肉厚Ｄ１を有する点については、次の事実も留意されるべきである。即ち、周辺部５０も比較的厚い肉厚Ｄ２を有する場合、容器蓋２の成形工程における冷却時に熱収縮により破断可能ライン２４に相当大きな引張力が作用し、これに起因して破断可能ライン２４が破断されてしまう虞があるが、周縁部５０が比較的薄い肉厚Ｄ１を有する場合には熱収縮が低減され、従って破断可能ライン２４に作用する引張力が低減され、破断可能ライン２４の破断が防止される。破断可能ライン２４が破断されると、プルリング４４及び連結柱４２と共に底壁１０の切取領域２６が容器蓋本体４から分離され、底壁１０に排出開口が生成される。しかる後においては、容器全体を傾動せしめることによって、排出開口を通じて液体を排出することができる。排出開口を通じて注出される液体は、容器蓋本体４の注出案内壁２２に案内されて円滑に注出される。所要量の液体の注出が終了すると、冠帽部６を二点鎖線で示す閉位置に旋回せしめる。かくすると、冠帽部６のシール壁５６の外周面が容器蓋本体４の注出案内壁２２の内周面上部に密接せしめられ、これによって容器の口頸部６４が一時的に密封される。
【００１９】
【発明の効果】
本発明の合成樹脂製容器蓋においては、容器内に相当高温の液体が充填される場合でも、容器の口頸部に容器蓋を装着した後に閉位置に位置せしめられていた冠帽部が開位置に向けて幾分旋回動せしめられるのが防止される。
【図面の簡単な説明】
【図１】本発明に従って構成された合成樹脂製容器蓋の好適実施形態を、冠帽部を開状態にせしめて示す断面図。
【図２】図１に示す容器蓋の上面図。
【図３】図１に示す容器蓋の底面図。
【符号の説明】
２：容器蓋
４：本体
６：冠帽部
１０：底壁
２４：破断可能ライン
２６：切取領域
４０：破断開始端部
４２：連結柱
４４：プルリング
４８：中央部
５０：周縁部
５２：天面壁
５４：スカート壁
【図１】
0004885386.tif 000002
【図２】
0004885386.tif 000003
【図３】
0004885386.tif 000004